(57)【要約】【課題】  ベース部も所定の強度を有し、帽体が左右に撓み難い折り畳みヘルメットを提供する。【解決手段】  本発明の折り畳みヘルメットは、上記課題に鑑み、頂頭部分を形成する略半球形状の頂頭部１と、頂頭部１の下方に配置された環状のベース部２とからなる。頂頭部１はベース部２の内周空間に収容自在である。ベース部２は、外環状部材３と、この外環状部材３の内周に交差して配置された内環状部材４と、この交差位置でこれら環状部材３、４を相対回動自在で軸支する回動軸５、５とからなる。ベース部２はこれら環状部材３、４を交差してＸ字状に配置することによって、互いに補強し合って所定の強度を有することができる。【選択図】  図１
2020176338.tif 000002
【特許請求の範囲】
【請求項１】
頂頭部分を形成する略半球形状の頂頭部と、該頂頭部の下方に配置された環状のベース部とからなり、
前記頂頭部が前記ベース部の内周空間に収容自在であり、
前記ベース部は、外環状部材と、該外環状部材の内周に配置された内環状部材と、前記外環状部材と前記内環状部材とを相対回動自在で支持する側方の回動軸とからなることを特徴とする折り畳みヘルメット。
【請求項２】
回動軸は、外環状部材と内環状部材の両側方において、一側方からもう一方の側方に向けた方向を軸方向とするものであって、
使用状態において、前記外環状部材の前部は前記内環状部材の前部に連続して位置し、前記外環状部材の後部は前記内環状部材の後部に連続して位置するように、前記外環状部材と内環状部材とが交差して相対回動することを特徴とする請求項１に記載の折り畳みヘルメット。
【請求項３】
回動軸は、内環状部材の両側から外方に向けて突出する左右方向軸と、外環状部材に形成され前記回動軸を前後方向にスライド可能とする受部とからなることを特徴とする請求項２に記載の折り畳みヘルメット。
【請求項４】
頂頭部は、ベース部に連結する連結部を前後に有し、
前方連結部は前記頂頭部から下方に延設して内環状部材の下縁に上下方向に回動可能に連結し、後方連結部は前記頂頭部の下縁と内環状部材の上縁とを回動可能に連結し、
前記後方連結体は、弾性を有する素材により形成し、使用状態で外方に向けて凸を形成する湾曲面を有することを特徴とする請求項１、２または３のいずれかに記載の折り畳みヘルメット。
【発明の詳細な説明】
【技術分野】
【０００１】
本発明は、平常時には折り畳んでおき、例えば地震等の非常時あるいは作業を行う場合に、迅速に組み立てて使用することができる折り畳みヘルメットに関し、折り畳み状態から使用状態（組み立て状態）に迅速に移行し、使用状態を確実に維持することができる構造にかかる発明である。
【背景技術】
【０００２】
主として、非常時に使用することができる折り畳み式のヘルメットは従来から提案されている。特許文献１には、複数の分割体により構成され、帽体入口の開放部を含む環状の分割体と、帽体頂部を含む椀状の分割体と、これらの間の環状の分割体からなり、各分割体を回動可能に連結する連結部と、分割体の相対位置を固定する係止部とを有する構造が開示されている。
【先行技術文献】
【特許文献】
【０００３】
【特許文献１】特開２０１４−２３４５６２号公報
【発明の概要】
【発明が解決しようとする課題】
【０００４】
特許文献１に記載のヘルメットは、分割体を帽体前方で回動可能に連結し、帽体後部に各分割体を使用状態で係止する係止部を有する。この従来技術のヘルメットは、輪切り状の各分割体が前方と後方のみで支持されている形態であるため、使用状態では頂頭部よりも下方の部位を形成する分割体において、ヘルメットの両側方が上下に撓むことがあった。
【０００５】
そこで、分割された帽体に所定の強度を有し、撓み難い折り畳みヘルメットが望まれていた。
【課題を解決するための手段】
【０００６】
本発明の折り畳みヘルメットは、上記課題に鑑み、頂頭部分を形成する略半球形状の頂頭部と、該頂頭部の下方に配置された環状のベース部とからなり、前記頂頭部が前記ベース部の内周空間に収容自在であり、前記ベース部は、外環状部材と、該外環状部材の内周に配置された内環状部材と、前記外環状部材と前記内環状部材とを相対回動自在で支持する側方の回動軸とからなることを特徴とする。
【０００７】
また、回動軸は、外環状部材と内環状部材の両側方において、一側方からもう一方の側方に向けた方向を軸方向とするものであって、使用状態において、前記外環状部材の前部は前記内環状部材の前部に連続して位置し、前記外環状部材の後部は前記内環状部材の後部に連続して位置するように、前記外環状部材と内環状部材とが交差して相対回動することが好ましい。
【０００８】
また、回動軸は、内環状部材の両側から外方に向けて突出する左右方向軸と、外環状部材に形成され前記回動軸を前後方向にスライド可能とする受部とからなることが好ましい。
【０００９】
また、頂頭部は、ベース部に連結する連結部を前後に有し、前方連結部は前記頂頭部から下方に延設して内環状部材の下縁に上下方向に回動可能に連結し、後方連結部は前記頂頭部の下縁と内環状部材の上縁とを回動可能に連結し、前記後方連結体は、弾性を有する素材により形成し、使用状態で外方に向けて凸を形成する湾曲面を有することが好ましい。
【発明の効果】
【００１０】
請求項１記載の発明により、ベース部が側方の回動軸により相対的に回動して立ち上がって使用状態とすることにより、ベース部が単に積層された状態よりも側方において一定の重なりを有し、補強し合って撓み難いベース部からなる折り畳みヘルメットを提供することができる。
【００１１】
請求項２記載の発明により、ベース部が使用状態において側面視でＸ字状となることで、撓み難い。これに加え、前方及び後方で外環状部材及び内環状部材の各々の前部と後部が連続して位置することで、強固に前後を保持することができる。
【００１２】
請求項３記載の発明により、側方の回動軸をスライド可能にし、使用状態と折り畳み状態をこのスライドで調整することができ、使用状態では外環状部材と内環状部材とを押し付けあって立ち上がり状態を維持し、折り畳み状態では外環状部材の内周に内環状部材を収容することができる。
【００１３】
請求項４記載の発明により、ベース部の側方の回動軸に反し、頭頂部が前方を回動軸として回動するものとして、回動方向を異ならせることで、使用状態で撓み難い折り畳みヘルメットを提供することができる。これに加え、後方連結体が外方に凸を有する湾曲面を有していることで、使用状態で上方からの衝撃に対して耐性を有することができるとともに使用状態を適切に保持することが可能になる。
【図面の簡単な説明】
【００１４】
【図１】本発明の実施形態に係る折り畳みヘルメットの組み立てた状態の斜視図である。
【図２】図１の折り畳みヘルメットの側面図である。
【図３】図１の折り畳みヘルメットの断面図である。
【図４】図１の折り畳みヘルメットの折り畳み状態の斜視図である。
【図５】図４の折り畳みヘルメットの側面図である。
【発明を実施するための形態】
【００１５】
本発明の実施形態について、図面に基づいて詳細に説明する。本実施例に関し、図２の頂頭部１側を上方、ベース部２側を下方とし、鍔１０側を前方、反対側を後方とし、回動軸５、５がある側を側方として説明する。
【００１６】
使用状態にかかる本実施形態は、図１に示すように、頂頭部分を形成する略半球形状の頂頭部１と、頂頭部１の下方に配置され人体の頭部の前頭部分や側頭部分、後頭部分を保護する２本の円環環状体である外環状部材３と内環状部材４とを組み合わせたベース部２とからなる。
【００１７】
頂頭部１は、カップ状となる略半球形状を上下逆転させた形態である。図３に示すように、側面視によると、頂頭部１の後側下縁は頂頭位置から約４分の１程度下がった高さまでとしており、その高さ位置から帽体全体の前後方向中央に位置する回動軸５、５よりやや前位置まで傾斜して下がり、傾斜角度を変えて緩やかに前方に向けて傾斜する。そして、前方では下方に延長して内環状部材４の内側面と近接する近接面１ａが配置される。このように頭頂部１は湾曲面を上側にする逆カップ状の形状となり、側方縁は側面視において扇状（Ｖ字型）の形状を有する。
【００１８】
ベース部２は、図１、２に示すように、外環状部材３と内環状部材４の２つの鉢巻状の環状部材からなるものであって、側面であって、前後方向中央位置に位置する回動軸５、５付近で交差させている。外環状部材３、内環状部材４はいずれも前方から後方にかけて上下幅寸法を徐々に大きくしている。
【００１９】
外環状部材３は、帽体の前側下方で突出する鍔１０が形成され、使用状態では後方に向かって上方にせり上がるように配置される。内環状部材４は外環状部材３よりも外周が一回り小さく、使用状態では内環状部材４の外面が外環状部材３の内面に接してＸ字状に交差するように位置する。この使用状態では内環状部材４の前部４ａが外環状部材３の前部３ａの上側に位置し、中央の交差位置を経由して、帽体の後方では内環状部材４の後部４ｂの上側に外環状部材３の後部３ｂが位置する。
【００２０】
ベース部２となる外環状部材３と内環状部材４とは、折り畳み状態では、内環状部材４が外環状部材３の内方に配置され、この内環状部材４の更に内方に頭頂部１が埋没するように位置して収容される（図４、５参照）。
【００２１】
回動軸５、５は、外環状部材３及び内環状部材４の左右の両側方それぞれに軸支され、前後寸法中央の下方寄りに位置している。回動軸５、５は、一側方からもう一方の側方に向けた方向を軸方向、すなわちヘルメットの両側方に位置し、左右方向である側方を軸方向としている。この軸体の両端を軸径よりも大きな円盤部材を配置し、軸孔から抜け落ちないようにしている。使用状態において、回動軸５、５は外環状部材３の両側方で、前後方向中央位置で位置するように表れる。
【００２２】
内環状部材４には左右の側方部分それぞれに、回動軸５、５を受け、この回動軸５、５が前後方向にスライド移動が可能な前後に長い長孔状にした受部６、６を有している。受部６、６は、使用状態に組み立てるときに、外環状部材３と内環状部材４とを相対的に前後にスライド移動させることができるように、使用状態の回動軸５、５の位置と、折り畳み状態でスライド可能となるように使用状態の回動軸５、５の位置から後方に向けて長孔となるようにしている。
【００２３】
上記回動軸５、５と受部６、６との軸支により、ベース部２は回動軸５、５を受部６、６内の前側に位置させることにより外環状部材３と内環状部材４とを組み立てて保持する使用状態となり、回動軸５、５を受部６、６内の後側に位置させることにより外環状部材３の内方に内環状部材４が配置される折り畳み状態となる。この使用状態では外環状部材３と内環状部材４とは側面視でＸ字状となり、折り畳み状態では側面視で横一文字状となる折り畳み状態とを切り替え可能としている。
【００２４】
頭頂部１、外環状部材３、内環状部材４の係合状態について、図３を示して説明する。まず、頭頂部１は、前方の近接面１ａの先端に配置される前方連結部７により内環状部材４の前部４ａの裏面側下縁付近で回動自在に連結されている。前方連結部７には左右方向軸７ａが形成され、内環状部材４には軸受（図示しない）で保持されることにより、頭頂部１はこの前方連結部７の軸により上下方向に回動可能としている。
【００２５】
頭頂部１の後方は、後方連結部８により、外環状部材３の後部３ｂの裏面側上縁付近で連結されている。後方連結部８は、内環状部材４の後部４ｂよりも小さい曲率半径で湾曲する弾性を有する素材からなる板状部材で、頭頂部１の後方裏面側と外環状部材３の後部３ｂに配置された左右方向軸８ａ、８ｂに後方連結部８の上縁及び下縁から一部折曲可能に延長した延長部８ｃ、８ｃを介して連結する。後方連結部８の湾曲は、使用状態で後方に向けて凸となるような湾曲するが、折り畳み状態では上側の軸８ａにより回動して、凸が前方に向くように反転させることができる。この後方連結部８により２つの左右方向軸８ａ、８ｂと延長部８ｃ、８ｃにより自由に正転、反転させることができるとともに、使用状態では外方に凸となる湾曲形態で保持し、頭頂部１の上方からの衝撃に対して弾性を発揮して衝撃を吸収することができる。
【００２６】
使用状態において、頭頂部１の後方下端は、外環状部材３の後部３ｂの上縁から内方にせり出した受部３ｃによって、下方から支持される。使用状態を解除して折り畳み状態に移行する場合、頭頂部１は後方連結部８が下方の左右方向軸８ｂを起点に回動して反転するようになり、頭頂部１全体が前方連結部７の左右方向軸７ａを起点に回動して、下方に沈み込むように収容される。
【００２７】
次に、ベース部２の係合状態は、使用状態において、外環状部材３の前部３ａの上端内側に内環状部材４の前部４ａの下端が係合する。これにより、内環状部材４の前部４ａが必要以上にせり上がらないようにしている。一方、外環状部材３の後部３ｂの下端内側を内環状部材４の後部４ｂの上端から一部重なりつつ載置して固定可能としている。内環状部材４は後部４ｂに前方に凹む段部１４を有し、この段部１４により折り畳み状態から使用状態に移行する場合において外環状部材３の後部３ｂとの歪みを解消して接触を回避している。
【００２８】
内環状部材４は、前部４ａの両側方付近に下端から所定高さの切欠き部１７、１７が形成される。この切欠き部１７、１７は使用時に外環状部材３の前部３ａから突出した突出部３ｄ、３ｄと係合することで外環状部材３と内環状部材４との使用状態を保持することができる。具体的には、突出部３ｄ、３ｄが外環状部材３の裏面側下端から内方に突出するものであるが、切欠き部１７、１７は不規則な四辺形状を有し、その前方上側角となる部分に突出部３ｄ、３ｄが斜め掛けされるように係合する。外環状部材３と内環状部材４との係合を保持するための係合・保持態様はこの実施形態に限定されず、その他の態様でもよい。
【００２９】
外環状部材３の前部３ａの内周面及び内環状部材４の後部４ｂの内周面に、ハンモックや顎紐などの装着部材を取り付ける取付部１６を備える。この取付部１６によりヘルメットとして利用可能となるハンモックや顎紐等を取り付けることが可能になる。
【００３０】
次に、本実施形態の折り畳みヘルメットの使用状態から折り畳み状態、若しくは折り畳み状態から使用状態へ動作を説明する。使用状態から折り畳み状態への動作は、内環状部材４を受部６の長手方向（前後方向）に沿って前方に押し込んで外環状部材３と内環状部材４とを前後から押し込んで撓ませるようにし、外環状部材３と内環状部材４との係合、保持を解除しつつ、回動軸５を受け部６内の後方部に移動させて固定姿勢を解く。そして、内環状部材４の前部４ａ及び後部４ｂが、外環状部材３の前部３ａ及び後部３ｂの内側に重なって位置するように、回動軸５、５を起点に回動して、内環状部材４を外環状部材３の内周に収容する。さらに、頭頂部１は、後方連結部８を若干引き上げて、外環状部材３の後部３ｂとの係合を解除し、後方連結部８を反転させるように前方連結部７を起点に下方に回動して、内環状部材４の内周に収容して、折り畳み完了となる。
【００３１】
折り畳み状態から使用状態への折り畳み状態への動作について説明する。まず、頂頭部１は後方連結部８を反転させるように前方連結部７を起点に上方に回動して、外環状部材３と内環状部材４とからなるベース部２内から上方に突出させる。そして、外環状部材３の前部３ａ及び後部３ｂが内環状部材４の前部４ａ及び後部４ｂに載置、係合するように、回動軸５、５を起点に回動して、展開し、回動軸５、５を受部６内で移動させて、撓ませながら外環状部材３と内環状部材４との使用状態となるように係合させる。
【符号の説明】
【００３２】
１…頂頭部、２…ベース部、３…外環状部材、３ａ…前部、３ｂ…後部、４…内環状部材、４ａ…前部、４ｂ…後部、５…回動軸、６…受部、７…前方連結部、８…後方連結部
【図１】
2020176338.tif 000003
【図２】
2020176338.tif 000004
【図３】
2020176338.tif 000005
【図４】
2020176338.tif 000006
【図５】
2020176338.tif 000007